(57)【要約】【課題】球状の被洗浄物の洗浄を、フレッチング傷を付けることなく確実に行い、しかも、残渣や被覆の脱落などの不具合なく、洗浄後における液切り、取り出しを良好にする。【解決手段】本発明の超音波洗浄用治具は、樹脂によって一体成型された保持板部１１ａに、表裏に貫通しかつ互いに交差する長孔２３ａからなる貫通孔２３を有する複数の保持部２１が形成されている。また、保持部２１における保持板部１１ａの上面側に球状の被洗浄物１２よりも大径のざぐり穴からなる保持凹部２２が形成されている。さらに、長孔２３ａの交差部分に形成された角部からなる支持部２３ｂを有している。また、本発明の超音波洗浄方法は、支持部２３ｂによって、複数箇所にて被洗浄物１２を点接触により支持して、洗浄漕の洗浄液中へ被洗浄物１２を浸漬させ、超音波振動子によって洗浄液に超音波を印加させ、被洗浄物を超音波洗浄する。【選択図】　　　図５
2004066110.tif 000002
【特許請求の範囲】
【請求項１】
洗浄液中へ球状の被洗浄物を浸漬させた状態にて、前記洗浄液へ超音波を印加して前記被洗浄物を超音波洗浄する際に、前記被洗浄物を保持する超音波洗浄用治具であって、
複数の保持部が形成された板状の保持板部を有し、前記保持部は、前記保持板部の表裏に貫通し、かつ、互いに交差する長孔からなる貫通孔から構成され、前記長孔の交差部分に形成された少なくとも３箇所の角部からなる支持部によって、前記被洗浄物が支持されることを特徴とする超音波洗浄用治具。
【請求項２】
前記保持部は、前記被洗浄物よりも大径の凹部からなる保持凹部を有し、前記保持凹部の底面に前記貫通孔が形成されていることを特徴とする請求項１に記載の超音波洗浄用治具。
【請求項３】
前記保持凹部の底面が、前記保持部の中心へ向かって次第に下方へ傾斜する傾斜面とされていることを特徴とする請求項２に記載の超音波洗浄用治具。
【請求項４】
前記保持凹部の底面には、前記保持板部の表裏を貫通する液切り孔が設けられていることを特徴とする請求項２または３に記載の超音波洗浄用治具。
【請求項５】
前記保持板部は、樹脂によって一体成形されていることを特徴とする請求項１〜４のいずれか１項に記載の超音波洗浄用治具。
【請求項６】
前記保持板部は、円板状に形成され、前記保持部が複数の同心円上に周方向の間隔をあけて形成されていることを特徴とする請求項１〜５のいずれか１項に記載の超音波洗浄用治具。
【請求項７】
前記保持板部には、その外周側に前記保持板部の表裏を貫通する切り欠き部が形成されていることを特徴とする請求項６に記載の超音波洗浄用治具。
【請求項８】
前記保持板部は、環状に形成され、この環状に形成された保持板部に前記保持部が間隔をあけて形成されていることを特徴とする請求項１〜５のいずれか１項に記載の超音波洗浄用治具。
【請求項９】
前記保持板部は、長方形状に形成され、この長方形状に形成された保持板部に前記保持部が間隔をあけて形成されていることを特徴とする請求項１〜５のいずれか１項に記載の超音波洗浄用治具。
【請求項１０】
前記保持板部は、格子状に形成され、この格子状に形成された保持板部に前記保持部が間隔をあけて形成されていることを特徴とする請求項１〜５のいずれか１項に記載の超音波洗浄用治具。
【請求項１１】
前記保持板部は、吊り具によって外周側から把持して吊り上げるように構成されていることを特徴とする請求項１〜１０のいずれか１項に記載の超音波洗浄用治具。
【請求項１２】
洗浄液中へ球状の被洗浄物を浸漬させた状態にて、前記洗浄液へ超音波を印加して前記被洗浄物を洗浄する超音波洗浄方法であって、
前記洗浄時の前記被洗浄物を、板状の保持板部を貫通するように形成された保持部に収容するとともに、前記保持部に形成された少なくとも３箇所の支持部との点接触によって支持することを特徴とする超音波洗浄方法。
【発明の詳細な説明】
【０００１】
【発明の属する技術分野】
本発明は、超音波洗浄装置に用いられて被洗浄物を洗浄液へ浸漬する際に被洗浄物を保持する超音波洗浄用治具及び超音波洗浄方法に関するものである。
【０００２】
【従来の技術】
従来、洗浄液中に浸漬させた被洗浄物を超音波によって洗浄する超音波洗浄が行われている。
この超音波洗浄では、図１４に示すように、被洗浄物１０１を金網から形成された洗浄カゴ１０２内に収容し、この洗浄カゴ１０２を洗浄液１０３が貯留された洗浄漕１０４内へ入れて洗浄液１０３に被洗浄物１０１を浸漬させ、この状態にて、超音波によって洗浄カゴ１０２内の被洗浄物１０１を洗浄していた。
【０００３】
【発明が解決しようとする課題】
ところで、金網から形成された洗浄カゴ１０２は、洗浄後に引き上げた際の液切り性は良好であるが、網目の大きさが被洗浄物１０１の大きさに比較して小さいと、洗浄カゴ１０２の移動などによる振動や衝撃等により、被洗浄物１０１が洗浄カゴ１０２内にて移動してしまい、被洗浄物１０１同士が互いに接触するおそれがあった。そして、この状態にて超音波が印加されると、被洗浄物１０１に、互いの接触箇所にてフレッチング傷が生じることもあった。
このことは、特に、被洗浄物１０１が、玉軸受などに用いられるボール等の球状物である場合に顕著に生じるおそれがあった。
この場合、網目の大きさを大きくすると、被洗浄物１が網目内に入り込み、移動が制限されて互いの接触が防がれるが、被洗浄物１０１が網目内に落ち込んだ状態となり、洗浄後の被洗浄物１０１の取り出しが困難となるという問題があった。
【０００４】
また、洗浄カゴ１０２として、金網に代えて金属板に複数の孔を形成したいわゆるパンチングメタルを用いたものもある。このパンチングメタルを用いた洗浄カゴ１０２の場合、金網の場合と比較して、収容した被洗浄物１０１が移動しにくくなり、接触状態での超音波印加によるフレッチング傷の発生が抑えられる。ところが、洗浄後における液切り性が悪くなり、洗浄カゴ１０２内における残渣が懸念され、しかも、それぞれの孔に被洗浄物１０１が嵌り込み、やはり、取り出しが困難となるという問題もあった。
【０００５】
また、金網あるいはパンチングメタルのいずれを用いたとしても、洗浄カゴ１０２内に被洗浄物１０１を収容すると、被洗浄物１０１によって洗浄カゴ１０２の底面の隙間がほとんど覆われる。そのため、下方側から超音波を印加した際に、超音波が洗浄カゴ１０２の上方へ伝わりにくく、液面に反射する超音波によって被洗浄物１の上面側を洗浄する効果が少なかった。
【０００６】
本発明は、上記実状に鑑みてなされたもので、球状の被洗浄物を超音波にて洗浄する際に、フレッチング傷を付けることなく確実に洗浄することができ、しかも、残渣などの不具合なく、洗浄後における液切り及び取り出しが良好な超音波洗浄用治具及び超音波洗浄方法を提供することを目的としている。
【０００７】
【課題を解決するための手段】
上記目的を達成するための請求項１に記載の超音波洗浄用治具は、洗浄液中へ球状の被洗浄物を浸漬させた状態にて、洗浄液へ超音波を印加して被洗浄物を超音波洗浄する際に、被洗浄物を保持する超音波洗浄用治具であって、複数の保持部が形成された板状の保持板部を有し、保持部は、保持板部の表裏に貫通し、かつ、互いに交差する長孔からなる貫通孔から構成され、長孔の交差部分に形成された少なくとも３箇所の角部からなる支持部によって、被洗浄物が支持されることを特徴とする。
【０００８】
このような構成の超音波洗浄用治具によれば、支持部が安定して被洗浄物を支持することができるため、保持板部が多少傾いたとしても球状の被洗浄物が移動して他の被洗浄物と接触するような不具合をなくすことができる。これにより、被洗浄物同士が接触した状態における超音波振動によるフレッチング傷の発生を確実に防止することができる。
また、被洗浄物の周囲に、保持板部の表裏に貫通する貫通孔が形成されているので、下方からの超音波を保持板部の上面側へ充分に伝えることができ、これにより、保持板部の上面側へ回り込む超音波及び洗浄液の液面にて反射する超音波によって被洗浄物の全体を満遍なく洗浄することができる。
さらに、被洗浄物は角部によって点接触により支持されるため、超音波の振動によって被洗浄物が回転されやすくなる。被洗浄物が回転されると、被洗浄物の全体をさらに効果的に洗浄することができる。
さらに、超音波洗浄用治具を引き上げた際には、貫通孔にて確実に液切りが行われるので、保持板部の上面側における洗浄液の残留を確実になくすことができる。
しかも、被洗浄物を支持部の複数箇所にて点接触により支持するものであるので、従来の金網やパンチングメタルを用いた場合のように、被洗浄物が孔に嵌り込んで取り出しが困難になるようなこともなく、作業の円滑化を図ることができる。
【０００９】
また、請求項２に記載の超音波洗浄用治具は、請求項１に記載の超音波洗浄用治具において、保持部は、被洗浄物よりも大径の凹部からなる保持凹部を有し、保持凹部の底面に貫通孔が形成されていることを特徴とする。
これにより、被洗浄物が保持部の支持部による保持から外れて移動したとしても、保持凹部を形成する周壁にて移動を規制することができ、被洗浄物の超音波洗浄用治具からの脱落や被洗浄物同士の接触をさらに確実に防止することができる。
【００１０】
また、請求項３に記載の超音波洗浄用治具は、請求項２に記載の超音波洗浄用治具において、保持凹部の底面が、保持部の中心へ向かって次第に下方へ傾斜する傾斜面とされていることを特徴とする。
このような構成の保持部によれば、超音波洗浄用治具を引き上げて洗浄液中から取り出して液切りする際に、洗浄液の流出がさらに円滑に行われ、さらに、保持凹部の周壁と底面との隅部にて洗浄液が溜まりづらくなり、洗浄液の残留をさらに確実になくすことができる。また、洗浄液中に浮遊している残渣も確実に流し出すことができる。
さらに、治具の傾斜や振動等によって被洗浄物が保持部の支持部による保持から外れて移動したとしても、傾斜面によって被洗浄物が再び保持部の中心へ案内される。そのため、被洗浄物を安定して保持部の中心部に配置させておくことができ、安定した洗浄効果が得られるとともに、取り出し作業性を向上させることができる。
【００１１】
また、請求項４に記載の超音波洗浄用治具は、請求項２または３に記載の超音波洗浄用治具において、保持凹部の底面には、保持板部の表裏を貫通する液切り孔が設けられていることを特徴とする。
このように、保持凹部の底面に、貫通孔とは別に表裏に貫通する液切り孔を形成したので、超音波洗浄用治具を引き上げて洗浄液中から取り出して液切りする際に、洗浄液の液切りがさらに良好に行われる。
【００１２】
また、請求項５に記載の超音波洗浄用治具は、請求項１〜４のいずれか１項に記載の超音波洗浄用治具において、保持板部は、樹脂によって一体成形されていることを特徴とする。
このような構成によれば、金網を用いた場合のように、超音波振動や機械振動により網目の交差部分にて摩耗粉からなる汚染物を発生させるような不具合をなくすことができる。
さらには、網目の交差部分を溶接したり全体を樹脂等で被覆した金網を用いた場合のように、超音波振動による経時変化により溶接部分の破壊摩耗や被覆の脱落などの不具合が生じることもない。つまり、定期的に再溶接や再被覆を行う必要もなく、メンテナンスなどにかかるコストを最小限に抑えることができる。
【００１３】
また、請求項６に記載の超音波洗浄用治具は、請求項１〜５のいずれか１項に記載の超音波洗浄用治具において、保持板部は、円板状に形成され、保持部が複数の同心円上に周方向の間隔をあけて形成されていることを特徴とする。
また、請求項７に記載の超音波洗浄用治具は、請求項６に記載の超音波洗浄用治具において、保持板部には、その外周側に保持板部の表裏を貫通する切り欠き部が形成されていることを特徴とする。
また、請求項８に記載の超音波洗浄用治具は、請求項１〜５のいずれか１項に記載の超音波洗浄用治具において、保持板部は、環状に形成され、この環状に形成された保持板部に保持部が間隔をあけて形成されていることを特徴とする。
【００１４】
また、請求項９に記載の超音波洗浄用治具は、請求項１〜５のいずれか１項に記載の超音波洗浄用治具において、保持板部は、長方形状に形成され、この長方形状に形成された保持板部に保持部が間隔をあけて形成されていることを特徴とする。
また、請求項１０に記載の超音波洗浄用治具は、請求項１〜５のいずれか１項に記載の超音波洗浄用治具において、保持板部は、格子状に形成され、この格子状に形成された保持板部に保持部が間隔をあけて形成されていることを特徴とする。
このように、請求項６〜１０の超音波洗浄用治具によれば、洗浄液が貯留された洗浄漕の形状や洗浄する被洗浄物の数量などに応じて様々な平面形状の保持板部を有するものを用いることができる。
【００１５】
また、請求項１１に記載の超音波洗浄用治具は、請求項１〜１０のいずれか１項に記載の超音波洗浄用治具において、前記保持板部は、吊り具によって外周側から把持して吊り上げるように構成されていることを特徴とする。
このように、吊り具によって保持板部を外周側から把持して吊り上げることにより、超音波洗浄用治具を安定して吊り上げることができ、被洗浄物の脱落をさらに確実に防止することができる。
【００１６】
また、上記目的を達成するための請求項１２に記載の超音波洗浄方法は、洗浄液中へ球状の被洗浄物を浸漬させた状態にて、洗浄液へ超音波を印加して被洗浄物を洗浄する超音波洗浄方法であって、洗浄時の被洗浄物を、板状の保持板部を貫通するように形成された保持部に収容するとともに、保持部に形成された少なくとも３箇所の支持部との点接触によって支持することを特徴とする。
【００１７】
このような超音波洗浄方法によれば、被洗浄物を、保持板部を貫通するように形成された保持部に収容するため、保持板部が多少傾いたとしても球状の被洗浄物が移動して他の被洗浄物と接触するような不具合をなくすことができる。これにより、被洗浄物同士が接触した状態における超音波振動によるフレッチング傷の発生を確実に防止することができる。
また、被洗浄物を、保持部に形成された少なくとも３箇所の支持部との点接触によって支持するため、保持板部の下方からの超音波を、被洗浄物と保持部との間から保持板部の上面側へ充分に伝えることができる。これにより、保持板部の上面側へ回り込む超音波及び洗浄液の液面にて反射する超音波によって被洗浄物の全体を満遍なく洗浄することができる。
さらに、被洗浄物を点接触により支持するため、超音波の振動によって被洗浄物を回転させやすくなる。被洗浄物が回転すると、被洗浄物の全体をさらに効果的に洗浄することができる。
さらに、保持板部を洗浄液から引き上げた際には、被洗浄物と保持部との間から確実に液切りが行われるので、保持板部の上面側における洗浄液の残留を確実になくすことができる。
しかも、従来の金網やパンチングメタルを用いた場合のように、被洗浄物が孔に嵌り込んで取り出しが困難になるようなこともなく、作業の円滑化を図ることができる。
【００１８】
【発明の実施の形態】
以下、本発明に係る超音波洗浄用治具及び超音波洗浄方法の実施の形態を、図１〜図１３に基づいて説明する。
図１は、本発明に係る超音波洗浄用治具を用いた超音波洗浄の状態を説明する超音波洗浄装置の概略断面図である。図２は、本発明に係る超音波洗浄用治具の第１実施形態を示す平面図である。図３は、図２に示した超音波洗浄用治具の断面図である。図４は、図２に示した保持部の拡大平面図である。図５は、図３に示した保持部の拡大断面図である。図６は、本発明に係る第２実施形態の超音波洗浄用治具に形成された保持部を示す断面図である。図７は、本発明に係る第３実施形態の超音波洗浄用治具に形成された保持部を示す平面図である。図８は、本発明に係る第４実施形態の超音波洗浄用治具に形成された保持部を示す平面図である。図９は、本発明に係る第５実施形態の超音波洗浄用治具を示す平面図である。図１０は、本発明に係る第６実施形態の超音波洗浄用治具を示す平面図である。図１１は、本発明に係る第７実施形態の超音波洗浄用治具を示す平面図である。図１２は、本発明に係る第８実施形態の超音波洗浄用治具を示す平面図である。図１３は、超音波洗浄用治具の他の昇降手段を説明する概略斜視図である。
【００１９】
（第１実施形態）
図１に示すように、超音波洗浄装置を構成する洗浄漕３２内には、底部に超音波振動子３３が設けられており、さらに洗浄液３１が貯留されている。超音波洗浄用治具１１は、この洗浄液３１内に浸漬されて用いられるものである。超音波洗浄用治具１１は、その上面側に、例えば玉軸受の転動体として用いられるボールや、その他の機械部品に用いられる球状物品である、被洗浄物１２を保持するように構成されている。
この超音波洗浄用治具１１は、樹脂によって円板状に一体成型された保持板部１１ａを有する（図２参照）もので、この保持板部１１ａには、その中心に、上面側から上方へ突出する支持棒部１３が形成されている。この支持棒部１３には、昇降装置のロッド１４が連結されるようになっており、昇降装置によって超音波洗浄用治具１１が昇降されるようになっている。
【００２０】
図２及び図３に示すように、超音波洗浄用治具１１の保持板部１１ａには、複数の保持部２１が形成されている。これら保持部２１は、保持板部１１ａに、二つの同心円上にて周方向へ等間隔に形成されている。
また、保持板部１１ａには、その外周部分に、円弧状に形成された切り欠き部２４が形成されている。また、外周側における下面側には複数の脚部２５が形成されている。
【００２１】
図４及び図５に示すように、保持部２１は、超音波洗浄用治具１１の上面側に形成されたざぐり穴からなる保持凹部２２と、この保持凹部２２の底面２２ｂにて、表裏に貫通し互いに交差する長孔２３ａからなる平面視十字状の貫通孔２３とを有している。
保持凹部２２は、その直径が被洗浄物１２より大径に形成されて、被洗浄物１２を収容することが可能なように構成されている。
さらに、保持部２１は、被洗浄物１２を保持凹部２２内における中央にて保持するように、すなわち貫通孔２３を構成する長孔２３ａ同士の交差部分の角部によって被洗浄物１２を保持するように構成されている。つまり、この貫通孔２３を構成する長孔２３ａ同士の交差部分の４カ所の角部が、被洗浄物１２を支持する支持部２３ｂとされている。この各支持部２３ｂを通る円は、被洗浄物１２より小径に形成されている。
【００２２】
次に、本発明に係る超音波洗浄方法について説明する。
本実施形態では、上記のように形成された超音波洗浄用治具１１を用いて球状の被洗浄物１２を洗浄する方法について説明する。
まず、洗浄する被洗浄物１２を、超音波洗浄用治具１１の保持板部１１ａを貫通するように形成された保持部２１に収容する。
保持部２１内に配置された被洗浄物１２は、各支持部２３ｂにより支持されて、保持凹部２２の中央に保持される。このとき、被洗浄物１２は、保持部２１に形成された４箇所の支持部２３ｂと点接触している。
【００２３】
このように、被洗浄物１２を超音波洗浄用治具１１に保持させた後、支持棒部１３にロッド１４が連結された昇降装置によって超音波洗浄用治具１１を吊り上げた後、図１に示すように、この超音波洗浄用治具１１を、洗浄液３１が貯留された洗浄漕３２内へ浸漬させる。
【００２４】
なお、被洗浄物１２は、保持部２１の複数の支持部２３ｂによって確実に安定して支持されているので、超音波洗浄用治具１１を洗浄液３１内へ浸漬させる際に保持板部１１ａが多少傾いたとしても安定した支持状態が維持され、被洗浄物１２が移動するようなことはない。
また、被洗浄物１２が保持部２１の支持部２３ｂによる保持から外れて移動したとしても、保持凹部２２を構成する周壁２２ａにて移動が規制されるので、被洗浄物１２の超音波洗浄用治具１１からの脱落や被洗浄物１２同士の接触が確実に防止される。
【００２５】
超音波洗浄用治具１１を洗浄漕３２内へ浸漬させたら、超音波振動子３３によって洗浄液３１に超音波を印加する。
このようにすると、洗浄液３１に印加された超音波によって超音波洗浄用治具１１に支持された被洗浄物１２が洗浄される。
また、洗浄液３１に印加された超音波は、保持部２１に形成された貫通孔２３及び切り欠き部２４を通り、保持板部１１ａの上面側へ回り込み、さらに、洗浄液３１の液面にて反射する。
さらに、この超音波の振動は、支持部２３ｂに支持された被洗浄物１２を回転させるように作用する。
これにより、超音波洗浄用治具１１に保持された被洗浄物１２は、保持部２１に収容された状態で回転する。そして、保持板部１１ａの上面側へ回り込んだ超音波及び洗浄液３１の液面にて反射した超音波によって、被洗浄物の全体を満遍なく洗浄することができる。
【００２６】
上記のようにして被洗浄物１２の洗浄を行ったら、昇降装置によって超音波洗浄用治具１１を引き上げて洗浄漕３２から取り出す。
このとき、保持板部１１ａの各保持部２１の貫通孔２３及び外周側に形成された切り欠き部２４から洗浄液３１が下方へ流れ落ちるので、保持板部１１ａの上面側にて洗浄液３１が残留することはない。
【００２７】
また、このときも、被洗浄物１２は、保持具２１の複数の支持部２３ｂによって確実に安定して支持されているので、保持板部１１ａが多少傾いたとしても安定した支持状態が維持され、被洗浄物１２が移動するようなことはない。
【００２８】
このように、上記の超音波洗浄用治具１１によれば、表裏に貫通しかつ互いに交差する長孔２３ａからなる貫通孔２３を有し、長孔２３ａの交差部分に形成された角部からなる支持部２３ｂによって複数箇所にて球状の被洗浄物１２を支持するので、保持板部１１ａが多少傾いたとしても球状の被洗浄物１２が移動して他の被洗浄物１２と接触するような不具合をなくすことができ、これにより、被洗浄物１２同士が接触した状態における超音波振動によるフレッチング傷の発生を確実に防止することができる。
【００２９】
また、被洗浄物１２の周囲に、保持板部１１ａの表裏に貫通する貫通孔２３と切り欠き部２４とが形成されているので、下方からの超音波を保持板部１１ａの上面側へ効果的に通過させることができる。これにより、保持板部１１ａの上面側へ回り込む超音波及び洗浄液３１の液面にて反射する超音波によって被洗浄物１２の全体を満遍なく洗浄することができる。このように、被洗浄物の全体に超音波を効果的に作用させることができるため、良好な洗浄力を得ることができる。
さらに、超音波洗浄用治具１１を引き上げた際には、貫通孔２３にて確実に液切りが行われるので、保持板部１１ａの上面側における洗浄液３１の残留を確実になくすことができる。
しかも、被洗浄物１２を支持部２３ｂの複数箇所にて点接触により支持するものであるので、従来の金網やパンチングメタルを用いた場合のように、被洗浄物が孔に嵌り込んで取り出しが困難になるようなこともなく、作業の円滑化を図ることができる。
【００３０】
また、被洗浄物１２が保持部２１の支持部２３ｂによる保持から外れて移動したとしても、保持凹部２２を形成する周壁２２ａにて移動を規制することができ、被洗浄物１２の超音波洗浄用治具１１からの脱落や被洗浄物１２同士の接触をさらに確実に防止することができる。
【００３１】
しかも、樹脂によって一体成形されたものであるので、金網を用いた場合のように、超音波振動や機械振動により網目の交差部分にて摩耗粉からなる汚染物を発生させるような不具合をなくすことができる。
さらには、網目の交差部分を溶接したり全体を樹脂等で被覆した金網を用いた場合のように、超音波振動による経時変化により溶接部分の破壊摩耗や被覆の脱落などの不具合が生じることもない。つまり、定期的に再溶接や再被覆を行う必要もなく、メンテナンスなどにかかるコストを最小限に抑えることができる。
【００３２】
次に、超音波洗浄用治具１１の他の態様について説明する。なお、上記の実施形態と同一の構成部分は、同一符号を付して説明を省略する。また、以下に説明する種々の超音波洗浄用治具は、本発明の超音波洗浄方法にて用いることができる。
まず、保持部２１の他の態様（第２〜第４実施形態）について説明する。
（第２実施形態）
図６に、超音波洗浄用治具１１のうち、保持部２１の構成が異なった第２実施形態である保持部４１を示す。
保持部４１は、保持凹部４２の底面４２ｂが、中心へ向かって次第に下方へ傾斜した形状に形成されたものである。
そして、このような傾斜面からなる底面４２ｂを有する保持凹部４２が形成された保持部４１によれば、超音波洗浄用治具１１を引き上げて洗浄漕３２から取り出して液切りする際に、洗浄液３１の流出がさらに円滑に行われ、さらに、保持凹部４２の周壁４２ａと底面４２ｂとの隅部４４にて洗浄液３１が溜まりづらくなり、洗浄液３１の残留をさらに確実になくすことができる。また、洗浄液３１中に浮遊している汚物も確実に流し出すことができ、残渣の発生を防ぐことができる。
さらに、治具の傾斜や振動等によって被洗浄物１２が保持部４１の支持部４３ｂによる保持から外れて移動したとしても、底面４２ｂによって被洗浄物１２が再び保持部４１の中心へ案内される。そのため、被洗浄物１２を安定して保持部４１の中心部に配置させておくことができ、安定した洗浄効果が得られるとともに、取り出し作業性を向上させることができる。
【００３３】
（第３実施形態）
図７に、第３実施形態の保持部４５を示す。
図７に示す保持部４５は、保持凹部２２の底面２２ｂに、貫通孔２３とは別に表裏に貫通する複数の液切り孔４７を形成したものである。このように、液切り孔４７を形成することにより、超音波洗浄用治具１１を引き上げて洗浄漕３２から取り出して液切りする際に、洗浄液３１の液切りがさらに良好に行われる。
【００３４】
（第４実施形態）
図８に、第４実施形態の保持部４９を示す。
図８に示す保持部４９は、３つの長孔５１ａを放射状に形成することにより貫通孔５１を構成したものである。そして、この場合も、それぞれの長孔５１ａの交差部分に形成された角部からなる３つの支持部５１ｂによって被洗浄物１２を確実に支持することができる。
【００３５】
また、超音波洗浄用治具１１の保持板部１１ａの形状や保持部２１の数を変更した第５〜第８実施形態について説明する。
（第５実施形態）
図９に、第５実施形態の超音波洗浄用治具５５を示す。
図９に示す超音波洗浄用治具５５は、円環状に形成された保持板部５５ａを有し、この保持板部５５ａに、周方向へ複数の保持部２１が間隔をあけて形成されたものである。
【００３６】
（第６実施形態）
図１０に、第６実施形態の超音波洗浄用治具５９を示す。
図１０に示す超音波洗浄用治具５９は、角形の環状に形成された保持板部５９ａを有し、この保持板部５９ａに、複数の保持部２１が間隔をあけて形成されたものである。
【００３７】
（第７実施形態）
図１１に、第７実施形態の超音波洗浄用治具６３を示す。
図１１に示す超音波洗浄用治具６３は、長方形状に形成された保持板部６３ａを有し、この保持板部６３ａに、複数の保持部２１が間隔をあけて一列に形成されたものである。
【００３８】
（第８実施形態）
図１２に、第８実施形態の超音波洗浄用治具６７を示す。
図１２に示すものは、格子状に形成された保持板部６７ａを有し、この保持板部６７ａに、複数の保持部２１が間隔をあけて形成されたものである。
【００３９】
このように、第５〜第８実施形態の超音波洗浄用治具５５，５９，６３，６７によれば、洗浄液３１が貯留された洗浄漕３２の形状や洗浄する被洗浄物１２の数量などに応じて様々な平面形状の保持板部を有するものを用いることができる。
【００４０】
なお、上記の第１実施形態では、超音波洗浄用治具１１の支持棒部１３に昇降装置のロッド１４を連結して、昇降装置によって超音波洗浄用治具１１を昇降させるようにしたが、他の昇降手段を用いても良い。例えば、図１３に示すように、超音波洗浄用治具１１の保持板部１１ａを、その外周側から把持して吊り上げる吊り具３５によって吊り上げるようにしても良い。このように、保持板部１１ａを外周側から把持して吊り上げることにより、超音波洗浄用治具１１を安定して吊り上げることができ、被洗浄物１２の脱落をさらに確実に防止することができる。
また、ロッド１４の代わりに紐等を用いて超音波洗浄用治具１１を吊るように構成しても良い。
【００４１】
【発明の効果】
以上、説明したように、本発明に係る超音波洗浄用治具及び超音波洗浄方法によれば、球状の被洗浄物を超音波にて洗浄する際に、フレッチング傷を付けることなく確実に洗浄することができ、しかも、洗浄容器からの残渣などの不具合なく、洗浄後における液切り及び取り出しが良好な超音波洗浄用治具を提供することができる。
さらに、本発明の超音波洗浄用治具及び超音波洗浄方法によれば、被洗浄物の全体に超音波を効果的に作用させることができるため、良好な洗浄力を得ることができる。
【図面の簡単な説明】
【図１】本発明に係る超音波洗浄用治具を用いた超音波洗浄の状態を説明する超音波洗浄装置の概略断面図である。
【図２】本発明に係る超音波洗浄用治具の第１実施形態を示す平面図である。
【図３】図２に示した超音波洗浄用治具の断面図である。
【図４】図２に示した保持部の拡大平面図である。
【図５】図３に示した保持部の拡大断面図である。
【図６】本発明に係る第２実施形態の超音波洗浄用治具に形成された保持部を示す断面図である。
【図７】本発明に係る第３実施形態の超音波洗浄用治具に形成された保持部を示す平面図である。
【図８】本発明に係る第４実施形態の超音波洗浄用治具に形成された保持部を示す平面図である。
【図９】本発明に係る第５実施形態の超音波洗浄用治具を示す平面図である。
【図１０】本発明に係る第６実施形態の超音波洗浄用治具を示す平面図である。
【図１１】本発明に係る第７実施形態の超音波洗浄用治具を示す平面図である。
【図１２】本発明に係る第８実施形態の超音波洗浄用治具を示す平面図である。
【図１３】超音波洗浄用治具の他の昇降手段を説明する概略斜視図である。
【図１４】従来の超音波洗浄の様子を示す超音波洗浄装置の概略断面図である。
【符号の説明】
１１　超音波洗浄用治具
１１ａ　保持板部
１２　被洗浄物
２１　保持部
２２　保持凹部
２２ｂ　底面
２３　貫通孔
２３ａ　長孔
２３ｂ　支持部
２４　切り欠き部
３１　洗浄液
３４　液切り孔
３５　吊り具
【図１】
2004066110.tif 000003
【図２】
2004066110.tif 000004
【図３】
2004066110.tif 000005
【図４】
2004066110.tif 000006
【図５】
2004066110.tif 000007
【図６】
2004066110.tif 000008
【図７】
2004066110.tif 000009
【図８】
2004066110.tif 000010
【図９】
2004066110.tif 000011
【図１０】
2004066110.tif 000012
【図１１】
2004066110.tif 000013
【図１２】
2004066110.tif 000014
【図１３】
2004066110.tif 000015
【図１４】
2004066110.tif 000016